(57)【要約】【課題】制御部が暴走した場合においても安全を担保する。【解決手段】  制御部２からインバータ３への正転指令信号入力は、ＡＮＤ回路５１に入力される。ＡＮＤ回路５１には、接点４１を介して、押しボタン１から制御部２への正転指令信号が入力されている。すなわち、制御部２からインバータ３への正転指令信号と、押しボタン１から制御部２への正転指令信号とがいずれもＯＮでなければ、ＡＮＤ回路５１からの出力信号はＯＦＦとなる。逆転指令信号においても、同様になされており、制御部２からインバータ３への逆転指令信号と、押しボタン１から制御部２への逆転指令信号とがいずれもＯＮでなければ、ＡＮＤ回路５２からの出力信号はＯＦＦとなる。【選択図】図２
2014075941.tif 000002
【特許請求の範囲】
【請求項１】
動作指令ボタンの入力を受けて、モータを駆動させるための制御信号を出力する制御部と、
前記動作指令ボタンから前記制御部への信号と、前記制御部から出力される前記モータを駆動させるための制御信号の入力を受け、その両方がＯＮのときのみ、前記モータを駆動させるためのインバータにＯＮの信号を出力する第１の回路と
を備え、
前記インバータは、前記第１の回路がＯＮ信号を出力した場合のみ、前記モータを駆動する
ことを特徴とする巻き上げ機の制御回路。
【請求項２】
請求項１に記載の巻き上げ機の制御回路であって、
前記第１の回路への入力信号が一致していない場合にＯＮ信号を出力する第２の回路をさらに備え、
前記第２の回路からＯＮ信号が出力されたことを履歴として記録する
ことを特徴とする巻き上げ機の制御回路。
【請求項３】
請求項１に記載の巻き上げ機の制御回路であって、
前記モータにより巻き上げ、または、巻き下げられるフックの位置が、予め定められた上限位置または下限位置となった場合に動作するリミットスイッチをさらに備え、
前記インバータは、緊急停止信号の入力を受ける緊急停止端子を備え、
リミットスイッチが動作した場合、前記制御部に信号が入力されるとともに、前記インバータの前記緊急停止端子に信号が入力される
ことを特徴とする巻き上げ機の制御回路。
【発明の詳細な説明】
【技術分野】
【０００１】
本発明は、巻き上げ機の制御回路に関する。
【背景技術】
【０００２】
ホイスト、クレーン等の産業用機器に用いられる巻き上げ機は、一般的に、「巻き上げ」「巻き下げ」等の操作ボタンの押下によって、作業者の操作入力が行われるようになされている。
【０００３】
従来の電動巻上機の制御装置においては、複数の操作ボタンのスイツチ信号をマイクロプロセッサ（または、マイクロコンピュータ、以下、マイコンと称する）等で構成される制御部に入力させて、巻き上げ機を制御する技術がある（例えば、特許文献１）。
【０００４】
また、従来の電動巻き上げ機の制御装置においては、巻き上げ過ぎあるいは巻き下げ過ぎを防止するために、リミットスイッチを設け、リミットスイッチの状態を監視して、巻き上げ幅が上限に達した場合、または、巻き下げ幅が下限に達した場合、無条件に運転を停止するようになされている技術がある（例えば、特許文献２）。
【先行技術文献】
【特許文献】
【０００５】
【特許文献１】特開昭６１‐２３１００号公報
【０００６】
【特許文献２】特開２００１−２５１８９２号公報
【０００７】
図１を参照して、従来の電動巻上機の制御回路の一例について説明する。
【０００８】
押しボタン１に設けられている上昇ボタン２１および下降ボタン２２は、それぞれ、通常の押下状態と、さらに、強く押し込む状態との２つの状態をとることができるようになされている。上昇ボタン２１が通常の押下状態にされた場合は、通常速度（低速）での上昇、すなわち、正転指令信号が、マイコンなどを含んで構成される制御部２に入力され、下降ボタン２２が通常の押下状態にされた場合は、通常速度（低速）での下降、すなわち、逆転指令信号が制御部２に入力される。また、上昇ボタン２１が強く押し込む状態にされた場合は、高速での上昇、すなわち、正転指令信号および高速運転指令信号が制御部２に入力され、下降ボタン２２が強く押し込む状態にされた場合は、高速での下降、すなわち、逆転指令信号がおよび高速運転指令信号が制御部２に入力される。
【０００９】
制御部２は、押しボタン１に設けられている上昇ボタン２１および下降ボタン２２による操作入力を受け、モータ４を駆動するための、正転、逆転、高速運転（図中、高速と示す）、無負荷高速運転等の制御信号をインバータ３に出力する。例えば、制御部２は、インバータ３から、モータ４の荷重を示す信号の入力を受け、無負荷状態であり、かつ、高速運転指令信号が入力されていた場合、無負荷高速信号をインバータ３に出力し、巻き上げ速度を、高速運転よりもさらに早くする。また、制御部２は、インバータ３から、モータ４の荷重を示す信号の入力を受け、荷重が所定の値以上の場合は、過加重状態であることを検出し、モータ４の運転を停止させるために、正転、逆転、高速運転、または、無負荷高速運転等の制御信号のインバータ３への出力を停止する。
【００１０】
また、フックの動作範囲を限定するために、フックの巻き上げにおける上限位置、および、フックの巻き下げにおける下限位置を、あらかじめ設定しておくことができる。制御部２は、後述するエンコーダ５からモータ４の回転数の入力を受け、モータ４によって巻き上げられるフックの位置を検出し、フック位置が、上限位置または下限位置に達すると、モータ４の運転を停止させるために、インバータ３に出力されていた、正転、逆転、高速運転、または、無負荷高速運転等の制御信号の出力を停止する。または、制御部２は、フック位置が上限に達した場合は、逆転を指令する制御信号のみをインバータ３に出力可能とし、フック位置が下限に達した場合は、正転を指令する制御信号のみをインバータ３に出力可能とするようにしてもよい。さらに、制御部２は、後述するエンコーダ５からモータ４の回転数の入力を受け、フックの移動方向および移動速度を検出することができる。制御部２は、正転指令信号の入力を受けているときにフックが下降していたり、逆転指令信号の入力を受けているときにフックが上昇している場合、または、高速運転をするべきときにフックの移動速度が遅すぎたり、低速運転をするべきときにフックの移動速度が早過ぎる場合には、インバータ３に出力されていた、正転、逆転、高速運転、または、無負荷高速運転等の制御信号の出力を停止する。
【００１１】
また、さらに、制御部２は、後述する上下限リミットスイッチ６と接続されており、上限リミット接点３１、または、下限リミット接点３２が動作した場合、運転を停止するようにインバータ３を制御するようになされている。
【００１２】
インバータ３は、制御部２の制御に基づいて、モータ４を駆動する。また、インバータ３は、モータ４の荷重情報を制御部２にフィードバックする。
【００１３】
モータ４は、インバータ３により駆動されて、正転および反転、ならびに、それぞれの回転方向の高速運転が可能なモータ４であり、電動巻き上げ機のフックを上下動させる。
【００１４】
エンコーダ５は、モータ４に組み込まれ、モータ４の回転数を検出して、制御部２に入力する。
【００１５】
上下限リミットスイッチ６は、制御部２と接続されており、上限リミット接点３１および下限リミット接点３２の二つの接点を有している。上限リミット接点３１は、モータ４により巻き上げられたフックの位置が上限のリミット位置に到達したとき、接点が動作するようになされている。そして、下限リミット接点３２は、モータ４により巻き下げられたフックの位置が下限のリミット位置に到達したとき、接点が動作するようになされている。
【発明の概要】
【発明が解決しようとする課題】
【００１６】
電動巻き上げ機の制御装置に制御部２を用いた場合、制御部２が、例えば、外部ノイズや熱、または、ソフトウェアのバグなどの理由によって暴走してしまうと、制御が困難な状態に陥ってしまうことが懸念される。
【００１７】
そこで、本発明は、上記課題を解決すること、すなわち、制御部２が暴走するという不測の事態であっても安全を確保することができる巻き上げ機の制御回路を提供することを目的とする。
【課題を解決するための手段】
【００１８】
上記課題を解決するために、本発明の巻き上げ機の制御回路の一側面は、動作指令ボタンの入力を受けて、モータを駆動させるための制御信号を出力する制御部と、動作指令ボタンから制御部への信号と、制御部から出力されるモータを駆動させるための制御信号の入力を受け、その両方がＯＮのときのみ、モータを駆動させるためのインバータにＯＮの信号を出力する第１の回路とを備え、インバータは、第１の回路がＯＮ信号を出力した場合のみ、モータを駆動することを特徴とする。
【００１９】
また、本発明の他の側面は、第１の回路への入力信号が一致していない場合にＯＮ信号を出力する第２の回路をさらに備え、第２の回路からＯＮ信号が出力されたことを履歴として記録することを特徴とする。
【００２０】
また、本発明の他の側面は、モータにより巻き上げ、または、巻き下げられるフックの位置が、予め定められた上限位置または下限位置となった場合に動作するリミットスイッチをさらに備え、インバータは、緊急停止信号の入力を受ける緊急停止端子を備え、リミットスイッチが動作した場合、制御部に信号が入力されるとともに、インバータの緊急停止端子に信号が入力されることを特徴とする。
【発明の効果】
【００２１】
本発明によれば、制御部が暴走した場合であっても安全を確保することができる。
【図面の簡単な説明】
【００２２】
【図１】従来の巻き上げ機の制御回路を示す図である。
【図２】巻き上げ機の制御回路の第１の例を示す図である。
【図３】巻き上げ機の制御回路の第２の例を示す図である。
【図４】巻き上げ機の制御回路の第３の例を示す図である。
【図５】巻き上げ機の制御回路の第４の例を示す図である。
【発明を実施するための形態】
【００２３】
以下、本発明の一実施の形態の巻き上げ機の制御回路について、図２〜図５を参照しながら説明する。
【００２４】
図２を参照して、巻き上げ機の制御回路の第１の例について説明する。
【００２５】
なお、図１と対応する部分は、同一の番号とする。
【００２６】
押しボタン１に設けられている上昇ボタン２１および下降ボタン２２は、それぞれ、通常の押下状態と、さらに、強く押し込む状態との２つの状態をとることができるようになされている。上昇ボタン２１が通常の押下状態にされた場合は、通常速度（低速）での上昇、すなわち、正転指令信号が、マイコンなどを含んで構成される制御部２に入力され、下降ボタン２２が通常の押下状態にされた場合は、通常速度（低速）での下降、すなわち、逆転指令信号が制御部２に入力される。また、上昇ボタン２１が強く押し込む状態にされた場合は、高速での上昇、すなわち、正転指令信号および高速運転指令信号が制御部２に入力され、下降ボタン２２が強く押し込む状態にされた場合は、高速での下降、すなわち、逆転指令信号がおよび高速運転指令信号が制御部２に入力される。
【００２７】
なお、ここでは、押しボタン１から制御部２への正転指令信号および逆転指令信号は、ＯＮの場合にＨｉ（１）であり、ＯＦＦの場合にＬｏｗ（０）であるものとする。また、押しボタン１から制御部２への正転指令信号入力には、接点４１が設けられ、後述するＡＮＤ回路５１と接続されるようになされている。そして、押しボタン１から制御部２への逆転指令信号入力には、接点４２が設けられ、後述するＡＮＤ回路５２と接続されるようになされている。
【００２８】
制御部２は、押しボタン１に設けられている上昇ボタン２１および下降ボタン２２による操作入力を受け、モータ４を駆動するための、正転、逆転、高速運転（図中、高速と示す）、無負荷高速運転等の制御信号を出力する。高速運転および無負荷高速運転等の制御信号は、制御部２から直接インバータ３へ出力される。なお、ここでは、制御部２から出力される正転指令信号および逆転指令信号は、ＯＮの場合にＨｉ（１）であり、ＯＦＦの場合にＬｏｗ（０）であるものとする。
【００２９】
制御部２からインバータ３への正転指令信号入力は、ＡＮＤ回路５１に入力される。ＡＮＤ回路５１には、上述したように、接点４１を介して、押しボタン１から制御部２への正転指令信号が入力されている。ＡＮＤ回路５１の出力は、インバータ３の正転指令の入力に接続されている。すなわち、制御部２からインバータ３への正転指令信号と、押しボタン１から制御部２への正転指令信号とがいずれもＯＮでなければ、ＡＮＤ回路５１からの出力信号はＯＦＦとなる。
【００３０】
したがって、制御部２が、例えば、外部ノイズや熱、または、ソフトウェアのバグなどの理由によって暴走してしまい、押しボタン１から正転指令信号が制御部２に入力されていない場合に制御部２から正転指令信号が出力されてしまっても、インバータ３には、正転指令信号が入力されることはない。
【００３１】
そして、制御部２からインバータ３への逆転指令信号入力は、ＡＮＤ回路５２に入力される。ＡＮＤ回路５２には、上述したように、接点４２を介して、押しボタン１から制御部２への逆転指令信号が入力されている。ＡＮＤ回路５２の出力は、インバータ３の逆転指令の入力に接続されている。すなわち、制御部２からインバータ３への逆転指令信号と、押しボタン１から制御部２への逆転指令信号とがいずれもＯＮでなければ、ＡＮＤ回路５２からの出力信号はＯＦＦとなる。
【００３２】
したがって、制御部２が、例えば、外部ノイズや熱、または、ソフトウェアのバグなどの理由によって暴走してしまい、押しボタン１から逆転指令信号が制御部２に入力されていない場合に制御部２から逆転指令信号が出力されてしまっても、インバータ３には、逆転指令信号が入力されることはない。
【００３３】
また、制御部２は、インバータ３から、モータ４の荷重を示す信号の入力を受け、無負荷状態であり、かつ、高速運転指令信号が入力されていた場合は、高速運転よりさらに早い無負荷高速運転を指令する、無負荷高速信号をインバータ３に出力して、巻き上げ速度をさらに早くし、荷重が所定の値以上の場合は、過加重状態であることを検出し、モータ４の運転を停止させるために、インバータ３に出力されていた、正転、逆転、高速運転、または、無負荷高速運転等の制御信号の出力を停止する。
【００３４】
また、フックの動作範囲を限定するために、フックの巻き上げにおける上限位置、および、フックの巻き下げにおける下限位置は、あらかじめ設定しておくことができる。制御部２は、後述するエンコーダ５からモータ４の回転数の入力を受け、モータ４によって巻き上げられるフックの位置を検出し、フック位置が、上限位置または下限位置に達すると、モータ４の運転を停止させるために、インバータ３に出力されていた、正転、逆転、高速運転、または、無負荷高速運転等の制御信号の出力を停止する。または、制御部２は、フック位置が上限に達した場合は、逆転を指令する制御信号のみをインバータ３に出力可能とし、フック位置が下限に達した場合は、正転を指令する制御信号のみをインバータ３に出力可能とするようにしてもよい。さらに、制御部２は、後述するエンコーダ５からモータ４の回転数の入力を受け、フックの移動方向および移動速度を検出することができる。制御部２は、正転指令信号の入力を受けているときにフックが下降していたり、逆転指令信号の入力を受けているときにフックが上昇している場合、または、高速運転をするべきときにフックの移動速度が遅すぎる場合や、低速運転をするべきときに、フックの移動速度が早過ぎる場合には、インバータ３に出力されていた、正転、逆転、高速運転、または、無負荷高速運転等の制御信号の出力を停止する。
【００３５】
また、さらに、制御部２は、後述する上下限リミットスイッチ６と接続されており、上限リミット接点３１、または、下限リミット接点３２が動作した場合、運転を停止するようにインバータ３を制御するようになされている。
【００３６】
インバータ３は、ＩＧＢＴ（Insulated Gate Bipolar Transistor）等から構成されるインバータ回路のほかに、出力電圧対出力周波数比特性（Ｖ／ｆ特性）等の各種設定値を記憶することができるメモリ、各種設定の入力を受けるオペレータ、周波数指令の入力を受ける周波数指令入力回路、および、インバータ回路、メモリ、オペレータ、周波数指令入力回路等を制御するマイクロプロセッサ（ＭＰＵ）またはＡＳＩＣ（Application Specific Integrated Circuit、）等を備え、制御部２の制御に基づいて、モータ４を駆動する。また、インバータ３は、モータ４の荷重情報を制御部２にフィードバックする。
【００３７】
モータ４は、巻き上げ機用のブレーキ付モータであって、インバータ３により駆動されて、正転および反転、ならびに、それぞれの回転方向の高速運転が可能なモータ４であり、電動巻き上げ機のフックを上下動させる。また、モータ４は、インバータ３からの駆動電流が遮断された場合、ブレーキが作動し、フックの上下動を停止させるようになされている。あ
【００３８】
エンコーダ５は、モータ４に組み込まれ、モータ４の回転数を検出して、制御部２に入力する。
【００３９】
上下限リミットスイッチ６は、制御部２と接続されており、上限リミット接点３１および下限リミット接点３２の二つの接点を有している。上限リミット接点３１は、モータ４により巻き上げられたフックの位置が上限のリミット位置に到達したとき、接点が動作するようになされている。そして、下限リミット接点３２は、モータ４により巻き下げられたフックの位置が下限のリミット位置に到達したとき、接点が動作するようになされている。
【００４０】
このような構成にすることにより、制御部２が、例えば、外部ノイズや熱、または、ソフトウェアのバグなどの理由によって暴走してしまった場合においても、押しボタン１の上昇ボタン２１または下降ボタン２２の操作を中止すれば、インバータ３への正転指令信号または逆転指令信号の入力がなくなるため、モータ４を停止させることが可能となる。
【００４１】
次に、図３を参照して、巻き上げ機の制御回路の第２の例について説明する。
【００４２】
なお、図２と対応する部分は、同一の番号とし、その詳細な説明は省略する。
【００４３】
すなわち、図３の制御回路においては、押しボタン１に代わって、押しボタン６１が設けられている。押しボタン６１には、上昇ボタン２１および下降ボタン２２に加えて、緊急停止ボタン７１が設けられている。
【００４４】
押しボタン６１の上昇ボタン２１または下降ボタン２２は、一般的に、機械的な押しボタンスイッチが用いられるので、例えば、機械的な引っかかり等の故障により、押下状態のままになってしまう場合がないとは言い切れない。
【００４５】
そこで、押しボタン６１には、上昇ボタン２１および下降ボタン２２に加えて、緊急停止ボタン７１をさらに設けるようにしてもよい。緊急停止ボタン７１が押下された場合、その信号は、制御部２に入力されず、直接、インバータ３の緊急停止入力用の端子に入力され、モータ４が停止されるようになされている。
【００４６】
緊急停止ボタン７１およびインバータ３の緊急停止入力機能のそれぞれは、従来広く用いられてきた技術であるが、図２を用いて説明した制御回路に、緊急停止ボタン７１およびインバータ３の緊急停止入力の機能を加えることにより、上昇ボタン２１および下降ボタン２２のいずれかが機械的な故障により押下状態のままになってしまった場合においても、モータ４の緊急停止を行うことが可能となり、さらに安全を担保することが可能となる。
【００４７】
なお、図２および図３を用いて説明した制御装置においては、上昇ボタン２１および下降ボタン２２が機械的に正常に機能していた場合、制御部２が暴走していても、上昇ボタン２１および下降ボタン２２の押下状態が解除されることで、モータ４が停止されるようになされていたため、安全である反面、制御部２が暴走していることが、ユーザにとって分かりにくい。特に、制御部２の暴走の原因が無くなり、再び制御部２が正常に動作した場合などにおいては、制御部２の暴走があった事自体が分からないようになってしまう。メンテナンス時などにおいて、制御部２が暴走している、または、暴走していたことが検出できれば、より好適である。
【００４８】
次に、図４を参照して、制御部２が暴走していた場合、これを検出可能な、巻き上げ機の制御回路の第３の例について説明する。
【００４９】
なお、図２または図３と対応する部分は、同一の番号とし、その詳細な説明は省略する。
【００５０】
すなわち、図４の制御回路においては、ＡＮＤ回路５１の２つの入力信号に接点８１および接点８２が設けられ、ＡＮＤ回路５２の２つの入力信号に接点８３および接点８４が設けられ、接点８１および接点８２のそれぞれがＥｘＮＯＲ（エクスクルーシブノア）回路９１に接続され、接点８３および接点８４のそれぞれがＥｘＮＯＲ回路９２に接続されている。
【００５１】
すなわち、ＡＮＤ回路５１の２つの入力信号の論理が同一でなかった場合、ＥｘＮＯＲ回路９１の出力がＯＮとなり、ＡＮＤ回路５２の２つの入力信号の論理が同一でなかった場合、ＥｘＮＯＲ回路９２の出力がＯＮとなる。制御部２が暴走していない場合、ＡＮＤ回路５１の２つの入力信号の論理、および、ＡＮＤ回路５２の２つの入力信号の論理は同一であるので、ＥｘＮＯＲ回路９１およびＥｘＮＯＲ回路９２の出力を監視することにより、制御部２が暴走していることが検出される。
【００５２】
図４においては、ＥｘＮＯＲ回路９１およびＥｘＮＯＲ回路９２の出力は、インバータ３に入力されている。インバータ３には、必要に応じて、ＥｘＮＯＲ回路９１またはＥｘＮＯＲ回路９２の出力がＯＮとなったこと、すなわち、制御部２が暴走したことをログとして残すことができるようにしても良い。
【００５３】
また、必要に応じて、ＥｘＮＯＲ回路９１およびＥｘＮＯＲ回路９２の出力を、図示しない記録部に接続することにより、インバータ３とは異なる記録部などに、制御部２が暴走したことをログとして残すようにしても良い。
【００５４】
また、例えば、ＥｘＮＯＲ回路９１およびＥｘＮＯＲ回路９２の出力に、図示しないＬＥＤを接続し、ＡＮＤ回路５１の２つの入力信号の論理が同一でなかった場合、または、ＡＮＤ回路５２の２つの入力信号の論理が同一でなかった場合には、ＬＥＤが点灯するようにして、使用者に制御部２の暴走を通知することができるようにしても良い。
【００５５】
このような構成にすることにより、制御部２が、例えば、外部ノイズや熱、または、ソフトウェアのバグなどの理由によって暴走してしまった場合に、そのログを残したり、ユーザに通知することが可能となる。
【００５６】
次に、図５を参照して、制御部２が暴走した場合であっても、上下限リミットスイッチ６の動作に応じてモータ４を緊急停止することが可能な、巻き上げ機の制御回路の第４の例について説明する。
【００５７】
なお、図２または図３と対応する部分は、同一の番号とし、その詳細な説明は省略する。
【００５８】
すなわち、図５の制御回路においては、上下限リミットスイッチ６の上限リミット接点３１から制御部２への入力信号に接点１０１が設けられ、下限リミット接点３２から制御部２への入力信号に接点１０２が設けられている。そして、接点１０１および接点１０２のそれぞれは、ＯＲ回路１０３に接続され、ＯＲ回路１０３の出力は、インバータ３の緊急停止用入力端子に接続されている。
【００５９】
したがって、制御部２が、例えば、外部ノイズや熱、または、ソフトウェアのバグなどの理由によって暴走してしまい、上下限リミットスイッチ６の上限リミット接点３１、または、下限リミット接点３２が動作しているにもかかわらず、制御部２から正転指令信号や逆転指令信号が出力されてしまっても、インバータ３の緊急停止用入力端子に緊急停止信号が入力されるため、モータ４の動作を停止させることが可能となり、安全を担保することが可能となる。
【００６０】
上述した技術は、巻き上げ機の動作を制御する制御回路に適用することができる。
【００６１】
また、本発明の実施の形態は、上述した実施の形態に限定されるものではなく、本発明の要旨を逸脱しない範囲において種々の変更が可能である。
【符号の説明】
【００６２】
１…押しボタン、  ２…制御部、  ３…インバータ、  ４…モータ、  ５…エンコーダ、  ６…上下限リミットスイッチ、  ２１…上昇ボタン、  ２２…下降ボタン、  ４１，４２…接点、  ５１，５２…ＡＮＤ回路、  ６１…押しボタン、  ７１…緊急停止ボタン、  ８１，８２，８３，８４…接点、  ９１，９２…ＥｘＮＯＲ回路、  １０１，１０２…接点、  １０３…ＯＲ回路
【図１】
2014075941.tif 000003
【図２】
2014075941.tif 000004
【図３】
2014075941.tif 000005
【図４】
2014075941.tif 000006
【図５】
2014075941.tif 000007